(57)【要約】  安定した精度の重量測定を行い利用者の満足度を向上させる。    重量測定装置は、複数のロードセル１３４を有する体重測定部１３０を備えている。この重量測定装置は、前記複数のロードセル１３４にそれぞれかかる荷重を取得し、この荷重の分散度合いを測定し、該荷重の分散度合いに応じて前記ロードセル１３４による交点３５３を移動させる。前記測定中心位置の移動を行う手段として、前記複数のロードセル１３４により取得した各荷重から現在重心位置を測定するステップＳ３０６を行う制御部１１８と、重心の目標となる前記交点３５３と前記重心マーク３５４とを表示する表示部１５４を備えた。
2010073686.tif 000002
【特許請求の範囲】
【請求項１】
複数の荷重測定部を有する重量測定装置であって、
前記複数の荷重測定部にそれぞれかかる荷重を取得し、この荷重の分散度合いを測定し、該荷重の分散度合いに応じて前記複数の荷重測定部による測定中心位置を移動させる
重量測定装置。
【請求項２】
前記各荷重測定部で測定したそれぞれの荷重の差異に応じて各荷重測定部の負荷バランス値を決定する負荷バランス決定手段と、
該負荷バランス値を用いて前記荷重測定部による荷重の測定方式を補正する補正手段とを備えた
請求項１記載の重量測定装置。
【請求項３】
所定の移動平均取得時間内に前記荷重測定部により複数測定された測定値の平均である移動平均値を取得する移動平均値取得手段と、
各荷重測定部について前記移動平均値をさらに複数回取得し、該複数回取得した移動平均値の平均を荷重とする荷重算出手段とを備え、
前記補正手段は、前記移動平均値取得手段の移動平均取得時間を前記負荷バランス値に対応して補正する構成である
請求項２記載の重量測定装置。
【請求項４】
複数の荷重測定部を有する重量測定装置であって、
前記複数の荷重測定部にそれぞれかかる荷重を取得し、取得した各荷重から現在重心位置を測定する重心位置測定手段と、
各荷重測定部に均等に荷重がかかる測定中心位置および前記現在重心位置を表示する表示手段とを備えた
重量測定装置。
【請求項５】
前記表示手段は、前記重心位置測定手段により測定した現在重心位置をリアルタイムに更新表示する構成である
請求項４記載の重量測定装置。
【請求項６】
複数の荷重測定部により重量を測定する重量測定方法であって、
前記複数の荷重測定部にそれぞれかかる荷重を取得し、この荷重の分散度合いを測定し、該荷重の分散度合いに応じて前記複数の荷重測定部による測定中心位置を移動させる
重量測定方法。
【請求項７】
前記各荷重測定部で測定したそれぞれの荷重の差異に応じて負荷バランス決定手段により各荷重測定部の負荷バランス値を決定し、
該負荷バランス値を用いて前記荷重測定部による荷重の測定方式を補正手段により補正する
請求項６記載の重量測定方法。
【請求項８】
所定の移動平均取得時間内に前記荷重測定部により複数測定された測定値の平均である移動平均値を移動平均値取得手段により取得し、
各荷重測定部について前記移動平均値をさらに複数回取得して荷重算出手段により該複数回取得した移動平均値の平均を荷重として算出し、
前記補正手段により前記移動平均値取得手段の移動平均取得時間を前記負荷バランス値に対応して補正する
請求項７記載の重量測定方法。
【発明の詳細な説明】
【技術分野】
【０００１】
この発明は、例えば重量を測定するような重量測定装置および重量測定方法に関する。
【背景技術】
【０００２】
従来、例えば４つのロードセルを有する重量測定装置で体重の測定を行う場合、利用者の乗る位置によって各ロードセルにかかるバランスが異なり、正確な体重測定を行うことができない問題がある。【０００３】
このバランスを測定するものとして、左右対比体重計が提案されている（特許文献１参照）。この特許文献１の左右対比体重計は、躯体の左右足載置部に独立してそれぞれ備えられたロードセルと、これらのロードセルの出力値を重量値にそれぞれ変換する重量変換手段と、これらの重量値を比較演算する比較演算手段と、両重量値を加算する加算手段と、これらの手段から得られる左右別の重量値、合計重量値（体重）及び比較演算値（重量バランス）を表示する表示手段とを有しているものである。これにより、体重のみならず人体の左右のバランスをも測定できるとされている。【０００４】
しかし、上記特許文献１は、体重測定の精度を向上することについては特に記載されておらず、左右のバランスを測定できても体重の測定精度の向上は図れないものであった。
【先行技術文献】
【特許文献】
【０００５】
【特許文献１】特開平８−２８５６７０号公報
【発明の概要】
【発明が解決しようとする課題】
【０００６】
この発明は、上述の問題に鑑み、安定した精度の重量測定を行い利用者の満足度を向上させることを目的としている。
【課題を解決するための手段】
【０００７】
この発明は、複数の荷重測定部を有する重量測定装置または重量測定方法であって、前記複数の荷重測定部にそれぞれかかる荷重を取得し、この荷重の分散度合いを測定し、該荷重の分散度合いに応じて前記複数の荷重測定部による測定中心位置を移動させる重量測定装置または重量測定方法であることを特徴とする。  
これにより、安定した精度の重量測定を行い利用者の満足度を向上させることができる。【０００８】
この発明の態様として、前記各荷重測定部で測定したそれぞれの荷重の差異に応じて各荷重測定部の負荷バランス値を決定する負荷バランス決定手段と、該負荷バランス値を用いて前記荷重測定部による荷重の測定方式を補正する補正手段とを備えることができる。【０００９】
これにより、かかっている荷重の大きい荷重測定部と、かかっている荷重の小さい荷重測定部とで測定方式を補正することができ、荷重の重心と測定中心とがずれていても精度よく重量を測定することができる。【００１０】
またこの発明の態様として、所定の移動平均取得時間内に前記荷重測定部により複数測定された測定値の平均である移動平均値を取得する移動平均値取得手段と、各荷重測定部について前記移動平均値をさらに複数回取得し、該複数回取得した移動平均値の平均を荷重とする荷重算出手段とを備え、前記補正手段は、前記移動平均値取得手段の移動平均取得時間を前記負荷バランス値に対応して補正する構成とすることができる。【００１１】
これにより、各加重測定部にかかっている負荷の状態に応じて移動平均取得時間を変更でき、精度よく重量を測定することができる。【００１２】
またこの発明は、複数の荷重測定部を有する重量測定装置であって、前記複数の荷重測定部にそれぞれかかる荷重を取得し、取得した各荷重から現在重心位置を測定する重心位置測定手段と、各荷重測定部に均等に荷重がかかる測定中心位置および前記現在重心位置を表示する表示手段とを備えた重量測定装置とすることができる。【００１３】
これにより、利用者が自分の重心位置と測定中心位置との関係を視認することができる。従って、利用者に対し、利用者の重心位置を測定中心位置に近づけさせることができる。【００１４】
またこの発明の態様として、前記表示手段は、前記重心位置測定手段により測定した現在重心位置をリアルタイムに更新表示する構成とすることができる。  
これにより、利用者が重心位置を変化させた場合に、この重心位置の変化をリアルタイムに視認させることができる。【００１５】
また、このリアルタイムに更新表示する重心位置を視認させることで、重心位置の変動を利用者に知らせることができる。これにより、利用者は、重心位置の変動が少なくなるように安定させることができる。そして、重心位置の変動が少なく安定することで、測定精度をより向上させることができる。
【発明の効果】
【００１６】
この発明により、安定した精度の重量測定を行い利用者の満足度を向上させることができる。
【図面の簡単な説明】
【００１７】
【図１】体組成計の外観を示す斜視図。
【図２】体組成計とサーバの構成を示すブロック図。
【図３】負荷バランス値をセットする動作のフローチャート。
【図４】表示部の画面イメージ図。
【図５】測定時のバランスをチェックする処理のフローチャート。
【図６】ひずみ度合いと精度向上の説明図。
【図７】負荷バランス値を用いた測定動作を説明するブロック図。
【発明を実施するための形態】
【００１８】
この発明の一実施形態を図面と共に説明する。  
【００１９】
図１は、重量測定装置としての体重測定部１３０を有する体組成計１００の外観を示す斜視図であり、図２は、体組成計１００と、該体組成計１００と通信可能なサーバ１５０の構成を示すブロック図である。図２の図示では１つの体組成計１００をサーバ１５０に接続しているが、種類の異なる複数の体組成計１００や、歩数計、活動量計などの生体情報取得装置をサーバ１５０に接続する。
【００２０】
この実施例では、全身式の体組成計１００により、利用者が全身の体重・体組成を一日一回測定する。そして、その日の活動内容を考慮するために、例えば次のデータをサーバ１５０に記憶させて利用する。
【００２１】
（データ１）両手式体組成計で測定した両手間インピーダンス
両手式を用いるのは、測定が手軽なためである。
（データ２）歩数計／活動量計で測定した歩数／活動量
（データ３）食事内容（摂取量）
【００２２】
体組成計１００は、図１に示すように、利用者が手で持つ第１の筐体である表示操作部１１０（ＢＦＡ部：ボディー  ファット  アナライザー部）、利用者が乗る第２の筐体である体重測定部１３０（ＳＣＡＬＥ部）とで主に構成されている。
【００２３】
表示操作部１１０は、図２に示すように通信部１１１、記憶部１１２、計時部１１３、操作部１１４、表示部１１５、定電流回路部１１６、電源部１１７、制御部１１８、二重積分ＡＤ部１１９、インピーダンス検知部１２０、および電極部１２１が設けられている。
【００２４】
通信部１１１は、制御部１１８に接続されており、該制御部１１８の制御信号に従ってサーバ１５０と通信を行う。なお、この通信部１１１は、サーバ１５０に限らず、歩数計などの他の生体情報取得装置と通信する、あるいはパーソナルコンピュータや携帯情報端末（ＰＤＡあるいは携帯電話機等）と通信するなど、適宜の装置と通信する構成にしてもよい。
【００２５】
記憶部１１２は、不揮発性のメモリやハードディスクなどの情報を記憶できる装置で構成されており、接続された制御部１１８の制御信号に従って情報の読み出しや書き込みを行う。また、記憶部１１２は、４つのロードセル１３４にかかる体重値を各個人について記憶しており、また負荷バランス値および移動平均取得時間も記憶している。
【００２６】
計時部１１３（計時手段）は、現在日時などの時刻を計時する装置であり、必要に応じて時刻を制御部１１８へ送る。  
操作部１１４は、押下操作される複数のボタン（図１参照）により構成されており、体重や身長といった利用者情報の入力など、利用者に押下操作された入力情報を制御部１１８へ送る。
【００２７】
表示部１１５は、液晶画面（図１参照）などの表示装置によって構成され、制御部１１８から送られる画像信号に従って文字や図形といった画像を表示する。この画像には、利用者の重心位置と測定中心位置とを表示する画面が含まれる。  
定電流回路部１１６は、制御部１１８の制御に基づいて、電源部１１７から供給される高周波（交流）電流を電流印加用の電極部１２１に一方向に流す。
【００２８】
電源部１１７は、制御部１１８を含め各部に動作電力を供給する。  
制御部１１８は、ＣＰＵとＲＯＭとＲＡＭあるいはマイコン（マイクロコンピュータ）により構成されており、ＲＯＭ等に記憶されているプログラムに従って各部の制御動作や演算動作を実行する。演算動作としては、ロードセル１３４で測定された測定値から体重を求める演算、およびその体重の求め方の補正を行う演算も実行する。
【００２９】
二重積分ＡＤ部１１９は、二重積分型のＡＤ（アナログ／デジタル）変換部であり、インピーダンス検知部１２０や荷重検知部１３３から供給されるアナログ信号をデジタル信号に変換する。
【００３０】
インピーダンス検知部１２０は、体重測定部１３０に設けられている電極部１３６と表示操作部１１０に設けられている電極部１２１との電位差に基づいてインピーダンスを検出する。
【００３１】
電極部１２１は、利用者が手で持つ表示操作部１１０のグリップ部分（図１参照）の表面に設けられており、グリップ部分を握っている利用者の手のひらへ電源部１１７から供給される高周波（交流）電流を印加する。
【００３２】
体重測定部１３０は、操作部１３１、電池１３２、荷重検知部１３３、および電極部１３６により構成されている。  
操作部１３１は、電源のＯＮ／ＯＦＦを切り替えるための入力スイッチとして機能し、入力された入力信号を制御部１１８へ送る。
【００３３】
電池１３２は、電源部１１７を中心に各部へ電力供給を行う。  
荷重検知部１３３は、ロードセル１３４を内蔵しており、筐体の上面カバーを兼ね備える上面カバー部１３５（図１参照）の上に乗った利用者の体重による各ロードセル１３４の荷重を測定する。このとき測定した荷重は、二重積分ＡＤ部１１９へ送られる。
【００３４】
電極部１３６は、利用者が上に乗る体重測定部１３０の上面部分（図１参照）の表面に設けられており、利用者の足裏から流れてくる電流を受け取る電流測定用の電極である。この電極部１３６は、利用者の左足指側、左足踵側、右足指側、右足踵側の４つの電極により構成されている。
【００３５】
サーバ１５０は、通信部１５１、制御部１５２、操作部１５３、表示部１５４、および記憶部１５５により構成されている。  
通信部１５１は、制御部１５２の制御に従って体組成計１００とデータの送受信を行う。
【００３６】
制御部１５２は、ＣＰＵとＲＯＭとＲＡＭにより構成されており、ＲＯＭ等に記憶されているプログラムに従って各部の制御動作や演算動作を実行する。  
操作部１５３は、キーボードやマウスといった操作入力装置で構成されており、操作入力された入力信号を制御部１５２へ送る。
【００３７】
表示部１５４は、液晶ディスプレイやＣＲＴディスプレイといった表示装置で構成されており、制御部１５２の制御信号に従って表示を行う。  
記憶部１５５は、ハードディスクなどの記憶装置により構成され、体組成計１００で測定した体組成データ（体脂肪データや体重データ）、図示省略する歩数計で測定した歩数データ、図示省略する活動量計で測定した活動量データ、および利用者の氏名や住所といった個人情報など、生体に関する種々のデータが記憶されている。
【００３８】
このように構成された体組成計１００とサーバ１５０と図示省略する歩数計や活動量計といった他の生体情報取得装置によって生体情報取得システム１０１が構成されている。なお、図示省略する歩数計や活動量計といった他の生体情報取得装置は、通信部１５１を通じてサーバ１５０とデータ通信し、歩数、歩行波形、活動量といった適宜のデータをサーバ１５０の記憶部１５５に記憶する。これにより、多種類の生体情報を取り扱えるようにしている。
【００３９】
図３は、体組成計１００の制御部１１８が４つのロードセル１３４の負荷バランス値をセットする動作を示すフローチャートである。  
制御部１１８は、記憶部１１２に負荷バランス値（バランス補正値）が記憶されているか否か判定し（ステップＳ３０１）、記憶されていれば（ステップＳ３０１：データ有）、各４つのロードセル１３４の負荷バランス値を例えば１．１倍や０．９倍といったようにセットし（ステップＳ３０３）、ステップＳ３０４へ処理を進める。この負荷バランス値のセットは、それぞれのロードセル１３４でひずみ値を取得するまでの時間のセットを指す。この負荷バランス値のセットは、各ロードセル１３４で取得するひずみ値が安定するまでの時間が、荷重がかかっているロードセル１３４ほど遅くなるため、この安定するまでの時間を調整するために実行する。
【００４０】
さらに詳述すると、負荷バランス値が大きいロードセル１３４については、移動平均値を求める移動平均取得時間を短く補正し、詳細にデータを収集する。すなわち、負荷バランス値が大きいロードセル１３４は、他のロードセル１３４よりも荷重がかかっている状態であり、荷重の変化も激しくなる。このため、移動平均取得時間を短く補正することで、多くの移動平均値を取得して精度を向上させる。
【００４１】
また、負荷バランス値が小さいロードセル１３４については、移動平均値を求める移動平均取得時間を長く補正する。これにより、荷重の変化が少ないロードセル１３４について、演算量を抑制することができる。
【００４２】
記憶部１１２に負荷バランス値が記憶されていなければ（ステップＳ３０１：データ無）、制御部１１８は、負荷バランス値を等倍でセットする（ステップＳ３０２）。ここで、負荷バランス値を等倍でセットするとは、４つのロードセル１３４がそれぞれ実行する移動平均値の取得単位となる移動平均取得時間を同一時間とすることを指す。
【００４３】
制御部１１８は、ステップＳ３０３でセットされた負荷バランス値、またはステップＳ３０２でセットされた等倍のバランス値により、４つのロードセル１３４の制御方法を変更する（ステップＳ３０４）。この制御方法の変更は、それぞれのロードセル１３４において移動平均値を取得する移動平均取得時間を異ならせることを指す。
【００４４】
制御部１１８は、ロードセル１３４の制御方法の変更による補正を適用した上で測定を開始し（ステップＳ３０５）、測定時のバランスをチェックする（ステップＳ３０６）。このバランスのチェックは、偏りの大小を判定するものである。このチェックを行う制御部１１８は、４つのロードセル１３４により測定した荷重の差により、利用者の重心が測定中心（４つのロードセル１３４の中心位置）からどの方向へどれだけ離れているか算出する。また、ステップＳ３０５の測定は、全てのロードセル１３４について並列処理により実行する。
【００４５】
測定時のバランスの偏りが大きい場合（ステップＳ３０６：偏り大）、制御部１１８は、図４の構成図に示すように、表示部１１５の画面３５０に、重心マーク３５４を光で表示してバランスが偏っていることを利用者に通知する（ステップＳ３０７）。この画面３５０には、左右バランスの偏りを明瞭にする左右中心線３５１と、前後バランスの偏りを明瞭にする前後中心線３５２とを直行させて表示しており、この交点３５３が中心であると利用者が容易に理解できるようになっている。この交点３５３は、４つのロードセル１３４に均等にひずみが発生している状態となる位置を示しており、目標位置となる。
【００４６】
この画面３５０に表示する重心マーク３５４は、ステップＳ３０５で測定してステップＳ３０６で偏り大と判定している間、常に更新するため、重心マーク３５４の位置がリアルタイムに更新される。従って、利用者は、重心移動して測定中心（交点３５３）に近づいたか、あるいは行き過ぎたかをリアルタイムに確認でき、自分の重心を体重測定部１３０の測定中心に合わせることができる。
【００４７】
測定時のバランスの偏りが小さい場合（ステップＳ３０６：偏り小）、制御部１１８は、測定を実行する（ステップＳ３０８）。このとき制御部１１８は、ステップＳ３０４で設定された制御方法（それぞれの移動平均取得時間）により各ロードセル１３４による移動平均値を複数回測定し、この移動平均値を当該体重測定部１３０の全てのロードセル１３４について複数回測定し、この複数回の測定結果を合計して体重を測定し、この測定した体重を出力する。この出力は、表示部１１５に表示する、記憶部１１２に記憶する、サーバ１５０に送信する、またはこれらの複数を実行するといった形で行う。
【００４８】
このようにして各ロードセル１３４の負荷バランス値がわかると、全てのロードセル１３４の値について、それぞれの負荷バランス値に対応する移動平均取得時間で移動平均値を多数取得して荷重を算出する。これにより、荷重のかかっているロードセル１３４の測定値を細かく取得して精度よく荷重を求めることができる。そして、このようにして求めた荷重を全てのロードセル１３４について合計し、この合計値を体重として出力することができる。
【００４９】
制御部１１８は、測定が規定回数（例えば１０回）以上か否か判定し、規定回数未満であれば（ステップＳ３０９：回数未満）、そのまま処理を終了する。  
回数以上であれば（ステップＳ３０９：回数以上）、制御部１１８は、これまでのバランスゆれを計算する（ステップＳ３１０）。この計算で、制御部１１８は、一番力がかかっていた場所の時間を計測する。
【００５０】
制御部１１８は、計算した結果をもとに４つのロードセル１３４の負荷バランス値（例えば１．１倍や０．９倍等）をセットし（ステップＳ３１１）、処理を終了する。このセットにより、各ロードセル１３４の負荷バランス値が記憶部１１２に記憶され、次回以降の体重測定でこの負荷バランス値が使用される。
【００５１】
図５は、負荷バランス値を計算する処理のフローチャートである。  
負荷バランス値を計算するとき、制御部１１８は、体重値がある程度安定するまで待機する（ステップＳ３２１）。
【００５２】
ある程度安定すると、制御部１１８は、４つのロードセル１３４のひずみ値を取得する（ステップＳ３２２）。このとき、現在のひずみ値が取得値となる。  
制御部１１８は、４つのロードセル１３４のうち一番ひずみが大きかった場所（その場所のロードセル１３４）を記憶する（ステップＳ３２３）。これにより、体重がかかった位置を取得できる。
【００５３】
制御部１１８は、測定回数が所定回数（例えば１０回）以上か否か判定し（ステップＳ３２４）、所定回数未満であれば（ステップＳ３２４：１０回未満）、ステップＳ３２１に処理を戻してステップＳ３２１〜Ｓ３２３の処理を繰り返す。
【００５４】
所定回数以上であれば（ステップＳ３２４：１０回以上）、制御部１１８は、いままでのひずみ回数をチェックする（ステップＳ３２５）。このチェックでは、４つのロードセル１３４それぞれについて、最もひずみ値が大きかった回数、すなわちもっとも荷重がかかった回数を求める。図示の例では、右上：３回、左上：１回、右下：６回、左下：０回といったようにひずみ回数を取得している。
【００５５】
制御部１１８は、取得したひずみ回数をもとに、各ロードセル１３４の負荷バランスを計算する（ステップＳ３２６）。この負荷バランスは、荷重がかかっていたロードセル１３４ほど安定に時間がかかるものとして測定時間（複数の移動平均値を算出し続ける時間）が長くなるように計算する。図示の例では、負荷バランスとして、右上：１０２％（１．０２）、左上：９４％（０．９４）、右下：１１４％（１．１４）、左下：９０％（０．９０）を算出している。この計算は、例えば次の負荷バランス計算式により求めることができる。
【００５６】
＜負荷バランス計算式＞
負荷バランス＝９０＋（ひずみ回数／トータル測定回数）×４０
【００５７】
このように負荷バランスを計算することで、体重測定の精度を向上させることが可能になる。すなわち、図６の説明図の（Ａ）に示すように、ひずみ度合いが大きいところはひずみの変化が激しい。このため、変化が激しい点での移動平均誤差を重点的にとることによって、タイミングタイミングで人が揺れないで測定できていることがよりわかるようになり、精度が向上する。
【００５８】
また、図６（Ｂ）に示すように、重心を中心移動させることによってすべてのロードセル１３４に負荷が満遍なく分散し、人のゆれが少なくなり安定度が増して、精度が向上する。  
図７は、上述した図３および図５の処理による負荷バランス値を用いた測定動作を説明する機能ブロック図である。  
ロードセル１３４で測定されたアナログ出力が二重積分ＡＤ部１１９でデジタル変換され、そのデジタル変換された測定値が制御部１１８の測定値取得部２０１で取得され、測定・補正部２０４に伝達される。
【００５９】
制御部１１８内の負荷バランス値セット部２０２は、記憶部１１２から負荷バランス値を読み出してセットする。このとき、図３のステップＳ３０２で説明したように負荷バランス値が記憶されていなければ、負荷バランス値を等倍にセットする。
【００６０】
移動平均取得時間セット部２０３は、負荷バランス値セット部２０２でセットされた負荷バランス値に対応する移動平均取得時間をセットする。この移動平均取得時間は、負荷バランス値から適宜の算出方式によって求めるとよい。
【００６１】
測定・補正部２０４は、測定値取得部２０１から受け取った連続する複数の測定値について、移動平均取得時間セット部２０３でセットされた移動平均取得時間毎に移動平均値を求める。そして、測定・補正部２０４は、ロードセル１３４別に複数の移動平均値の平均をとって荷重を求める。測定・補正部２０４は、図３のステップＳ３０９〜Ｓ３１１に説明したように、規定回数以上の測定値があれば、バランスゆれを計算し、負荷バランス値登録部２０６により各ロードセル１３４の負荷バランス値を記憶部１１２に記憶させて更新する。
【００６２】
測定・補正部２０４が算出した各ロードセル１３４の荷重は、体重算出部２０５で加算され、体重が算出される。体重算出部２０５は、この算出した体重を表示部１１５の画面に表示させる。
【００６３】
以上に説明したように、この実施例の体組成計１００は、複数の荷重測定部（ロードセル１３４）にそれぞれかかる荷重を取得し、この荷重の分散度合いを測定し、次回の体重測定時に該荷重の分散度合いに応じて前記複数の荷重測定部（ロードセル１３４）による測定中心位置を移動させることができる。  
これにより、安定した精度の体重測定を行い利用者の満足度を向上させることができる。
【００６４】
また、測定後に各個人の４つのロードセル１３４にかかる体重値を保存することで、分散度合いを測ってその人のバランス（右足に体重がかかりやすい等）を測定することができる。そして、この測定を継続的に実行してその人のバランスを理解し、次回に計る際に立ち位置の修正（中心に重心が来るように補正）を行うことで、４つのロードセル１３４に平均的に負荷がかかり、安定した精度の高い体重測定を行うことができる。
【００６５】
また、ステップＳ３０７で、理想の中心点である交点３５３と利用者（被測定者）の重心位置である重心マーク３５４とを画面３５０に両方表示するため、利用者は自分の重心を理想の中心点である交点３５３に近づけるよう重心移動することができる。
【００６６】
また、重心マーク３５４はリアルタイムに更新されるため、利用者は、どの程度重心を移動させればよいか確認しながら自分の重心を交点３５３に近づけることができる。従って、短時間で効率よく利用者の重心を体重測定部１３０の中心に合わせることができる。
【００６７】
また、重心マーク３５４の表示がリアルタイムに更新されるため、利用者は、自分の重心位置が激しく移動しているような場合にその状況を視認でき、重心位置が交点３５３に近い位置で安定するように気をつけることができる。これにより、変動が少なくなって体重をより正確に測定することができる。
【００６８】
また、負荷バランス値によって移動平均取得時間を定め、荷重の大きいロードセル１３４については移動平均取得時間を短くして移動平均値の変化を詳細に取得するため、測定精度を向上させることができる。詳述すると、荷重の大きいロードセル１３４は、荷重の小さいロードセル１３４よりも誤差が生じやすい。この誤差の生じやすい状態であるロードセル１３４について、移動平均値の変化を詳細に取得することで測定精度を向上させることができる。
【００６９】
また、各ロードセル１３４の移動平均取得時間を異ならせて並列処理するため、ロードセル１３４毎に独立して移動平均値を複数取得し、この複数の移動平均値の平均から荷重を求めることができる。そして、並列処理により独立して求めた各ロードセル１３４の荷重を全て加算することで体重を算出できる。複数のロードセル１３４の干渉を防止し、精度のよい体重測定を実行することができる。
【００７０】
また、連続的に偏値をとることで、その人の体のバランスや立ち位置の癖を知ることができる。そして、このバランスや立ち位置の癖のデータを元に、体重測定に最適な測定位置を提供することや、自動で体重の補正をかけて体重測定の精度向上を図ることができる。
【００７１】
また、次回から４つのロードセル１３４にかかる重心を理解することで、最も負荷のかかるロードセル１３４の測定精度をソフトウェアの処理によって向上させることができ、これにより体重測定の精度を向上することができる。
【００７２】
この発明の構成と、上述の実施形態との対応において、
この発明の重量測定装置は、実施形態の体組成計１００に対応し、
以下同様に、
表示手段は、表示部１１５に対応し、
重心位置測定手段は、ステップＳ３０６を実行する制御部１１８に対応し、
負荷バランス決定手段は、ステップＳ３２１〜Ｓ３２６を実行する制御部１１８に対応し、
荷重測定部は、ロードセル１３４に対応し、
補正手段、移動平均値取得手段、および荷重算出手段は、測定・補正部２０４に対応し、
測定中心位置は、交点３５３に対応し、
重心位置は、重心マーク３５４に対応し、
負荷バランス値は、負荷バランス値に対応するが、
この発明は、上述の実施形態の構成のみに限定されるものではなく、多くの実施の形態を得ることができる。
【００７３】
例えば、上述した体組成計１００およびサーバ１５０をインターネットにより接続してもよい。この場合、さらに歩数計、電子体温計、あるいは血圧計といった他の生体情報測定装置もインターネットに接続してもよい。これにより、体組成計１００、歩数計、電子体温計、血圧計を適宜連携させることができる。  
また、体組成計１００、歩数計、電子体温計、血圧計は、サーバ１５０から適宜のパラメータ、閾値、アルゴリズムなどをダウンロードして機能を拡張できるように構成してもよい。この場合、ハードウェアはそのままでソフトウェアをバージョンアップすることや、利用者自身に最適化することを容易に実現できる。
【００７４】
また、体組成計１００、歩数計、電子体温計、血圧計の機能拡張は、サーバ１５０を用いず、体組成計１００等に接続した適宜のユーザ端末から実行する構成にしてもよい。この場合、ＣＤ−ＲＯＭなどの記録媒体からパラメータ、閾値、アルゴリズムなどをダウンロードする構成にしてもよい。
【００７５】
また、体組成計１００、歩数計、電子体温計、血圧計は、これらの機器同士を直接無線または有線で通信可能に接続してもよい。この場合も、相互にデータを送受信して個々の精度を向上させることができる。
【産業上の利用可能性】
【００７６】
この発明は、人間の体重を測定する体重計や動物の体重を測定する動物用体重計など、生体の体重を測定する装置に利用する、あるいは物品の重量を測定する装置に利用するなど、重量測定を行う様々な分野で利用することができる。
【符号の説明】
【００７７】
１００…体組成計、１１５…表示部、１１８…制御部、１３４…ロードセル、２０４…測定・補正部、３５３…交点、３５４…重心マーク
【図１】
2010073686.tif 000003
【図２】
2010073686.tif 000004
【図３】
2010073686.tif 000005
【図４】
2010073686.tif 000006
【図５】
2010073686.tif 000007
【図６】
2010073686.tif 000008
【図７】
2010073686.tif 000009
【手続補正書】
【提出日】平成22年7月21日(2010.7.21)
【手続補正１】
【補正対象書類名】特許請求の範囲
【補正対象項目名】全文
【補正方法】変更
【補正の内容】
【特許請求の範囲】
【請求項１】
複数の荷重測定部を有する重量測定装置であって、
前記各荷重測定部で測定したそれぞれの荷重の差異に応じて各荷重測定部の負荷バランス値を決定する負荷バランス決定手段と、
該負荷バランス値を用いて前記荷重測定部による荷重の測定方式を補正する補正手段とを備えた
重量測定装置。
【請求項２】
（削除）
【請求項３】
所定の移動平均取得時間内に前記荷重測定部により複数測定された測定値の平均である移動平均値を取得する移動平均値取得手段と、
各荷重測定部について前記移動平均値をさらに複数回取得し、該複数回取得した移動平均値の平均を荷重とする荷重算出手段とを備え、
前記補正手段は、前記移動平均値取得手段の移動平均取得時間を前記負荷バランス値に対応して補正する構成である
請求項１記載の重量測定装置。
【請求項４】
（削除）
【請求項５】
（削除）
【請求項６】
（削除）
【請求項７】
複数の荷重測定部により重量を測定する重量測定方法であって、
前記各荷重測定部で測定したそれぞれの荷重の差異に応じて負荷バランス決定手段により各荷重測定部の負荷バランス値を決定し、
該負荷バランス値を用いて前記荷重測定部による荷重の測定方式を補正手段により補正する
重量測定方法。
【請求項８】
所定の移動平均取得時間内に前記荷重測定部により複数測定された測定値の平均である移動平均値を移動平均値取得手段により取得し、
各荷重測定部について前記移動平均値をさらに複数回取得して荷重算出手段により該複数回取得した移動平均値の平均を荷重として算出し、
前記補正手段により前記移動平均値取得手段の移動平均取得時間を前記負荷バランス値に対応して補正する
請求項７記載の重量測定方法。
【手続補正２】
【補正対象書類名】明細書
【補正対象項目名】０００２
【補正方法】変更
【補正の内容】
【０００２】
課題を解決するための手段
［０００７］
この発明は、複数の荷重測定部を有する重量測定装置であって、前記各荷重測定部で測定したそれぞれの荷重の差異に応じて各荷重測定部の負荷バランス値を決定する負荷バランス決定手段と、該負荷バランス値を用いて前記荷重測定部による荷重の測定方式を補正する補正手段とを備えた重量測定装置または重量測定方法であることを特徴とする。
これにより、安定した精度の重量測定を行い利用者の満足度を向上させることができる。
［０００８］
［０００９］
また、かかっている荷重の大きい荷重測定部と、かかっている荷重の小さい荷重測定部とで測定方式を補正することができ、荷重の重心と測定中心とがずれていても精度よく重量を測定することができる。
［００１０］
また、この発明の態様として、所定の移動平均取得時間内に前記荷重測定部により複数測定された測定値の平均である移動平均値を取得する移動平均値取得手段と、各荷重測定部について前記移動平均値をさらに複数回取得し、該複数回取得した移動平均値の平均を荷重とする荷重算出手段とを備え、前記補正手段は、前記移動平均値取得手段の移動平均取得時間を前記負荷バランス値に対応して補正する構成とすることができる。
［００１１］
これにより、各加重測定部にかかっている負荷の状態に応じて移動平均取得時間を変更でき、精度よく重量を測定することができる。
［００１２］
またこの発明は、複数の荷重測定部で取得した各荷重から現在重心位置を測定する重心位置測定手段と、各荷重測定部に均等に荷重がかかる測定中心位置および前記現在重心位置を表示する表示手段とを備えた重量測定装置とすることができる。
【手続補正書】
【提出日】平成23年3月25日(2011.3.25)
【手続補正１】
【補正対象書類名】明細書
【補正対象項目名】全文
【補正方法】変更
【補正の内容】
【発明の詳細な説明】
【技術分野】
【０００１】
この発明は、例えば重量を測定するような重量測定装置および重量測定方法に関する。
【背景技術】
【０００２】
従来、例えば４つのロードセルを有する重量測定装置で体重の測定を行う場合、利用者の乗る位置によって各ロードセルにかかるバランスが異なり、正確な体重測定を行うことができない問題がある。
【０００３】
このバランスを測定するものとして、左右対比体重計が提案されている（特許文献１参照）。この特許文献１の左右対比体重計は、躯体の左右足載置部に独立してそれぞれ備えられたロードセルと、これらのロードセルの出力値を重量値にそれぞれ変換する重量変換手段と、これらの重量値を比較演算する比較演算手段と、両重量値を加算する加算手段と、これらの手段から得られる左右別の重量値、合計重量値（体重）及び比較演算値（重量バランス）を表示する表示手段とを有しているものである。これにより、体重のみならず人体の左右のバランスをも測定できるとされている。
【０００４】
しかし、上記特許文献１は、体重測定の精度を向上することについては特に記載されておらず、左右のバランスを測定できても体重の測定精度の向上は図れないものであった。
【先行技術文献】
【特許文献】
【０００５】
【特許文献１】特開平８−２８５６７０号公報
【発明の概要】
【発明が解決しようとする課題】
【０００６】
この発明は、上述の問題に鑑み、安定した精度の重量測定を行い利用者の満足度を向上させることを目的としている。
【課題を解決するための手段】
【０００７】
この発明は、複数の荷重測定部を有する重量測定装置であって、前記各荷重測定部で測定したそれぞれの荷重の差異に応じて各荷重測定部の負荷バランス値を決定する負荷バランス決定手段と、該負荷バランス値を用いて前記荷重測定部による荷重の測定方式を補正する補正手段とを備えた重量測定装置または重量測定方法であることを特徴とする。  
これにより、安定した精度の重量測定を行い利用者の満足度を向上させることができる。
【０００８】
また、かかっている荷重の大きい荷重測定部と、かかっている荷重の小さい荷重測定部とで測定方式を補正することができ、荷重の重心と測定中心とがずれていても精度よく重量を測定することができる。
【０００９】
またこの発明の態様として、所定の移動平均取得時間内に前記荷重測定部により複数測定された測定値の平均である移動平均値を取得する移動平均値取得手段と、各荷重測定部について前記移動平均値をさらに複数回取得し、該複数回取得した移動平均値の平均を荷重とする荷重算出手段とを備え、前記補正手段は、前記移動平均値取得手段の移動平均取得時間を前記負荷バランス値に対応して補正する構成とすることができる。
【００１０】
これにより、各加重測定部にかかっている負荷の状態に応じて移動平均取得時間を変更でき、精度よく重量を測定することができる。
【００１１】
またこの発明は、複数の荷重測定部を有する重量測定装置であって、前記複数の荷重測定部にそれぞれかかる荷重を取得し、取得した各荷重から現在重心位置を測定する重心位置測定手段と、各荷重測定部に均等に荷重がかかる測定中心位置および前記現在重心位置を表示する表示手段とを備えた重量測定装置とすることができる。
【００１２】
これにより、利用者が自分の重心位置と測定中心位置との関係を視認することができる。従って、利用者に対し、利用者の重心位置を測定中心位置に近づけさせることができる。
【００１３】
またこの発明の態様として、前記表示手段は、前記重心位置測定手段により測定した現在重心位置をリアルタイムに更新表示する構成とすることができる。  
これにより、利用者が重心位置を変化させた場合に、この重心位置の変化をリアルタイムに視認させることができる。
【００１４】
また、このリアルタイムに更新表示する重心位置を視認させることで、重心位置の変動を利用者に知らせることができる。これにより、利用者は、重心位置の変動が少なくなるように安定させることができる。そして、重心位置の変動が少なく安定することで、測定精度をより向上させることができる。
【発明の効果】
【００１５】
この発明により、安定した精度の重量測定を行い利用者の満足度を向上させることができる。
【図面の簡単な説明】
【００１６】
【図１】体組成計の外観を示す斜視図。
【図２】体組成計とサーバの構成を示すブロック図。
【図３】負荷バランス値をセットする動作のフローチャート。
【図４】表示部の画面イメージ図。
【図５】測定時のバランスをチェックする処理のフローチャート。
【図６】ひずみ度合いと精度向上の説明図。
【図７】負荷バランス値を用いた測定動作を説明するブロック図。
【発明を実施するための形態】
【００１７】
この発明の一実施形態を図面と共に説明する。  
【００１８】
図１は、重量測定装置としての体重測定部１３０を有する体組成計１００の外観を示す斜視図であり、図２は、体組成計１００と、該体組成計１００と通信可能なサーバ１５０の構成を示すブロック図である。図２の図示では１つの体組成計１００をサーバ１５０に接続しているが、種類の異なる複数の体組成計１００や、歩数計、活動量計などの生体情報取得装置をサーバ１５０に接続する。
【００１９】
この実施例では、全身式の体組成計１００により、利用者が全身の体重・体組成を一日一回測定する。そして、その日の活動内容を考慮するために、例えば次のデータをサーバ１５０に記憶させて利用する。
【００２０】
（データ１）両手式体組成計で測定した両手間インピーダンス
両手式を用いるのは、測定が手軽なためである。
（データ２）歩数計／活動量計で測定した歩数／活動量
（データ３）食事内容（摂取量）
【００２１】
体組成計１００は、図１に示すように、利用者が手で持つ第１の筐体である表示操作部１１０（ＢＦＡ部：ボディー  ファット  アナライザー部）、利用者が乗る第２の筐体である体重測定部１３０（ＳＣＡＬＥ部）とで主に構成されている。
【００２２】
表示操作部１１０は、図２に示すように通信部１１１、記憶部１１２、計時部１１３、操作部１１４、表示部１１５、定電流回路部１１６、電源部１１７、制御部１１８、二重積分ＡＤ部１１９、インピーダンス検知部１２０、および電極部１２１が設けられている。
【００２３】
通信部１１１は、制御部１１８に接続されており、該制御部１１８の制御信号に従ってサーバ１５０と通信を行う。なお、この通信部１１１は、サーバ１５０に限らず、歩数計などの他の生体情報取得装置と通信する、あるいはパーソナルコンピュータや携帯情報端末（ＰＤＡあるいは携帯電話機等）と通信するなど、適宜の装置と通信する構成にしてもよい。
【００２４】
記憶部１１２は、不揮発性のメモリやハードディスクなどの情報を記憶できる装置で構成されており、接続された制御部１１８の制御信号に従って情報の読み出しや書き込みを行う。また、記憶部１１２は、４つのロードセル１３４にかかる体重値を各個人について記憶しており、また負荷バランス値および移動平均取得時間も記憶している。
【００２５】
計時部１１３（計時手段）は、現在日時などの時刻を計時する装置であり、必要に応じて時刻を制御部１１８へ送る。  
操作部１１４は、押下操作される複数のボタン（図１参照）により構成されており、体重や身長といった利用者情報の入力など、利用者に押下操作された入力情報を制御部１１８へ送る。
【００２６】
表示部１１５は、液晶画面（図１参照）などの表示装置によって構成され、制御部１１８から送られる画像信号に従って文字や図形といった画像を表示する。この画像には、利用者の重心位置と測定中心位置とを表示する画面が含まれる。  
定電流回路部１１６は、制御部１１８の制御に基づいて、電源部１１７から供給される高周波（交流）電流を電流印加用の電極部１２１に一方向に流す。
【００２７】
電源部１１７は、制御部１１８を含め各部に動作電力を供給する。  
制御部１１８は、ＣＰＵとＲＯＭとＲＡＭあるいはマイコン（マイクロコンピュータ）により構成されており、ＲＯＭ等に記憶されているプログラムに従って各部の制御動作や演算動作を実行する。演算動作としては、ロードセル１３４で測定された測定値から体重を求める演算、およびその体重の求め方の補正を行う演算も実行する。
【００２８】
二重積分ＡＤ部１１９は、二重積分型のＡＤ（アナログ／デジタル）変換部であり、インピーダンス検知部１２０や荷重検知部１３３から供給されるアナログ信号をデジタル信号に変換する。
【００２９】
インピーダンス検知部１２０は、体重測定部１３０に設けられている電極部１３６と表示操作部１１０に設けられている電極部１２１との電位差に基づいてインピーダンスを検出する。
【００３０】
電極部１２１は、利用者が手で持つ表示操作部１１０のグリップ部分（図１参照）の表面に設けられており、グリップ部分を握っている利用者の手のひらへ電源部１１７から供給される高周波（交流）電流を印加する。
【００３１】
体重測定部１３０は、操作部１３１、電池１３２、荷重検知部１３３、および電極部１３６により構成されている。  
操作部１３１は、電源のＯＮ／ＯＦＦを切り替えるための入力スイッチとして機能し、入力された入力信号を制御部１１８へ送る。
【００３２】
電池１３２は、電源部１１７を中心に各部へ電力供給を行う。  
荷重検知部１３３は、ロードセル１３４を内蔵しており、筐体の上面カバーを兼ね備える上面カバー部１３５（図１参照）の上に乗った利用者の体重による各ロードセル１３４の荷重を測定する。このとき測定した荷重は、二重積分ＡＤ部１１９へ送られる。
【００３３】
電極部１３６は、利用者が上に乗る体重測定部１３０の上面部分（図１参照）の表面に設けられており、利用者の足裏から流れてくる電流を受け取る電流測定用の電極である。この電極部１３６は、利用者の左足指側、左足踵側、右足指側、右足踵側の４つの電極により構成されている。
【００３４】
サーバ１５０は、通信部１５１、制御部１５２、操作部１５３、表示部１５４、および記憶部１５５により構成されている。  
通信部１５１は、制御部１５２の制御に従って体組成計１００とデータの送受信を行う。
【００３５】
制御部１５２は、ＣＰＵとＲＯＭとＲＡＭにより構成されており、ＲＯＭ等に記憶されているプログラムに従って各部の制御動作や演算動作を実行する。  
操作部１５３は、キーボードやマウスといった操作入力装置で構成されており、操作入力された入力信号を制御部１５２へ送る。
【００３６】
表示部１５４は、液晶ディスプレイやＣＲＴディスプレイといった表示装置で構成されており、制御部１５２の制御信号に従って表示を行う。  
記憶部１５５は、ハードディスクなどの記憶装置により構成され、体組成計１００で測定した体組成データ（体脂肪データや体重データ）、図示省略する歩数計で測定した歩数データ、図示省略する活動量計で測定した活動量データ、および利用者の氏名や住所といった個人情報など、生体に関する種々のデータが記憶されている。
【００３７】
このように構成された体組成計１００とサーバ１５０と図示省略する歩数計や活動量計といった他の生体情報取得装置によって生体情報取得システム１０１が構成されている。なお、図示省略する歩数計や活動量計といった他の生体情報取得装置は、通信部１５１を通じてサーバ１５０とデータ通信し、歩数、歩行波形、活動量といった適宜のデータをサーバ１５０の記憶部１５５に記憶する。これにより、多種類の生体情報を取り扱えるようにしている。
【００３８】
図３は、体組成計１００の制御部１１８が４つのロードセル１３４の負荷バランス値をセットする動作を示すフローチャートである。  
制御部１１８は、記憶部１１２に負荷バランス値（バランス補正値）が記憶されているか否か判定し（ステップＳ３０１）、記憶されていれば（ステップＳ３０１：データ有）、各４つのロードセル１３４の負荷バランス値を例えば１．１倍や０．９倍といったようにセットし（ステップＳ３０３）、ステップＳ３０４へ処理を進める。この負荷バランス値のセットは、それぞれのロードセル１３４でひずみ値を取得するまでの時間のセットを指す。この負荷バランス値のセットは、各ロードセル１３４で取得するひずみ値が安定するまでの時間が、荷重がかかっているロードセル１３４ほど遅くなるため、この安定するまでの時間を調整するために実行する。
【００３９】
さらに詳述すると、負荷バランス値が大きいロードセル１３４については、移動平均値を求める移動平均取得時間を短く補正し、詳細にデータを収集する。すなわち、負荷バランス値が大きいロードセル１３４は、他のロードセル１３４よりも荷重がかかっている状態であり、荷重の変化も激しくなる。このため、移動平均取得時間を短く補正することで、多くの移動平均値を取得して精度を向上させる。
【００４０】
また、負荷バランス値が小さいロードセル１３４については、移動平均値を求める移動平均取得時間を長く補正する。これにより、荷重の変化が少ないロードセル１３４について、演算量を抑制することができる。
【００４１】
記憶部１１２に負荷バランス値が記憶されていなければ（ステップＳ３０１：データ無）、制御部１１８は、負荷バランス値を等倍でセットする（ステップＳ３０２）。ここで、負荷バランス値を等倍でセットするとは、４つのロードセル１３４がそれぞれ実行する移動平均値の取得単位となる移動平均取得時間を同一時間とすることを指す。
【００４２】
制御部１１８は、ステップＳ３０３でセットされた負荷バランス値、またはステップＳ３０２でセットされた等倍のバランス値により、４つのロードセル１３４の制御方法を変更する（ステップＳ３０４）。この制御方法の変更は、それぞれのロードセル１３４において移動平均値を取得する移動平均取得時間を異ならせることを指す。
【００４３】
制御部１１８は、ロードセル１３４の制御方法の変更による補正を適用した上で測定を開始し（ステップＳ３０５）、測定時のバランスをチェックする（ステップＳ３０６）。このバランスのチェックは、偏りの大小を判定するものである。このチェックを行う制御部１１８は、４つのロードセル１３４により測定した荷重の差により、利用者の重心が測定中心（４つのロードセル１３４の中心位置）からどの方向へどれだけ離れているか算出する。また、ステップＳ３０５の測定は、全てのロードセル１３４について並列処理により実行する。
【００４４】
測定時のバランスの偏りが大きい場合（ステップＳ３０６：偏り大）、制御部１１８は、図４の構成図に示すように、表示部１１５の画面３５０に、重心マーク３５４を光で表示してバランスが偏っていることを利用者に通知する（ステップＳ３０７）。この画面３５０には、左右バランスの偏りを明瞭にする左右中心線３５１と、前後バランスの偏りを明瞭にする前後中心線３５２とを直行させて表示しており、この交点３５３が中心であると利用者が容易に理解できるようになっている。この交点３５３は、４つのロードセル１３４に均等にひずみが発生している状態となる位置を示しており、目標位置となる。
【００４５】
この画面３５０に表示する重心マーク３５４は、ステップＳ３０５で測定してステップＳ３０６で偏り大と判定している間、常に更新するため、重心マーク３５４の位置がリアルタイムに更新される。従って、利用者は、重心移動して測定中心（交点３５３）に近づいたか、あるいは行き過ぎたかをリアルタイムに確認でき、自分の重心を体重測定部１３０の測定中心に合わせることができる。
【００４６】
測定時のバランスの偏りが小さい場合（ステップＳ３０６：偏り小）、制御部１１８は、測定を実行する（ステップＳ３０８）。このとき制御部１１８は、ステップＳ３０４で設定された制御方法（それぞれの移動平均取得時間）により各ロードセル１３４による移動平均値を複数回測定し、この移動平均値を当該体重測定部１３０の全てのロードセル１３４について複数回測定し、この複数回の測定結果を合計して体重を測定し、この測定した体重を出力する。この出力は、表示部１１５に表示する、記憶部１１２に記憶する、サーバ１５０に送信する、またはこれらの複数を実行するといった形で行う。
【００４７】
このようにして各ロードセル１３４の負荷バランス値がわかると、全てのロードセル１３４の値について、それぞれの負荷バランス値に対応する移動平均取得時間で移動平均値を多数取得して荷重を算出する。これにより、荷重のかかっているロードセル１３４の測定値を細かく取得して精度よく荷重を求めることができる。そして、このようにして求めた荷重を全てのロードセル１３４について合計し、この合計値を体重として出力することができる。
【００４８】
制御部１１８は、測定が規定回数（例えば１０回）以上か否か判定し、規定回数未満であれば（ステップＳ３０９：回数未満）、そのまま処理を終了する。  
回数以上であれば（ステップＳ３０９：回数以上）、制御部１１８は、これまでのバランスゆれを計算する（ステップＳ３１０）。この計算で、制御部１１８は、一番力がかかっていた場所の時間を計測する。
【００４９】
制御部１１８は、計算した結果をもとに４つのロードセル１３４の負荷バランス値（例えば１．１倍や０．９倍等）をセットし（ステップＳ３１１）、処理を終了する。このセットにより、各ロードセル１３４の負荷バランス値が記憶部１１２に記憶され、次回以降の体重測定でこの負荷バランス値が使用される。
【００５０】
図５は、負荷バランス値を計算する処理のフローチャートである。  
負荷バランス値を計算するとき、制御部１１８は、体重値がある程度安定するまで待機する（ステップＳ３２１）。
【００５１】
ある程度安定すると、制御部１１８は、４つのロードセル１３４のひずみ値を取得する（ステップＳ３２２）。このとき、現在のひずみ値が取得値となる。  
制御部１１８は、４つのロードセル１３４のうち一番ひずみが大きかった場所（その場所のロードセル１３４）を記憶する（ステップＳ３２３）。これにより、体重がかかった位置を取得できる。
【００５２】
制御部１１８は、測定回数が所定回数（例えば１０回）以上か否か判定し（ステップＳ３２４）、所定回数未満であれば（ステップＳ３２４：１０回未満）、ステップＳ３２１に処理を戻してステップＳ３２１〜Ｓ３２３の処理を繰り返す。
【００５３】
所定回数以上であれば（ステップＳ３２４：１０回以上）、制御部１１８は、いままでのひずみ回数をチェックする（ステップＳ３２５）。このチェックでは、４つのロードセル１３４それぞれについて、最もひずみ値が大きかった回数、すなわちもっとも荷重がかかった回数を求める。図示の例では、右上：３回、左上：１回、右下：６回、左下：０回といったようにひずみ回数を取得している。
【００５４】
制御部１１８は、取得したひずみ回数をもとに、各ロードセル１３４の負荷バランスを計算する（ステップＳ３２６）。この負荷バランスは、荷重がかかっていたロードセル１３４ほど安定に時間がかかるものとして測定時間（複数の移動平均値を算出し続ける時間）が長くなるように計算する。図示の例では、負荷バランスとして、右上：１０２％（１．０２）、左上：９４％（０．９４）、右下：１１４％（１．１４）、左下：９０％（０．９０）を算出している。この計算は、例えば次の負荷バランス計算式により求めることができる。
【００５５】
＜負荷バランス計算式＞
負荷バランス＝９０＋（ひずみ回数／トータル測定回数）×４０
【００５６】
このように負荷バランスを計算することで、体重測定の精度を向上させることが可能になる。すなわち、図６の説明図の（Ａ）に示すように、ひずみ度合いが大きいところはひずみの変化が激しい。このため、変化が激しい点での移動平均誤差を重点的にとることによって、タイミングタイミングで人が揺れないで測定できていることがよりわかるようになり、精度が向上する。
【００５７】
また、図６（Ｂ）に示すように、重心を中心移動させることによってすべてのロードセル１３４に負荷が満遍なく分散し、人のゆれが少なくなり安定度が増して、精度が向上する。  
図７は、上述した図３および図５の処理による負荷バランス値を用いた測定動作を説明する機能ブロック図である。  
ロードセル１３４で測定されたアナログ出力が二重積分ＡＤ部１１９でデジタル変換され、そのデジタル変換された測定値が制御部１１８の測定値取得部２０１で取得され、測定・補正部２０４に伝達される。
【００５８】
制御部１１８内の負荷バランス値セット部２０２は、記憶部１１２から負荷バランス値を読み出してセットする。このとき、図３のステップＳ３０２で説明したように負荷バランス値が記憶されていなければ、負荷バランス値を等倍にセットする。
【００５９】
移動平均取得時間セット部２０３は、負荷バランス値セット部２０２でセットされた負荷バランス値に対応する移動平均取得時間をセットする。この移動平均取得時間は、負荷バランス値から適宜の算出方式によって求めるとよい。
【００６０】
測定・補正部２０４は、測定値取得部２０１から受け取った連続する複数の測定値について、移動平均取得時間セット部２０３でセットされた移動平均取得時間毎に移動平均値を求める。そして、測定・補正部２０４は、ロードセル１３４別に複数の移動平均値の平均をとって荷重を求める。測定・補正部２０４は、図３のステップＳ３０９〜Ｓ３１１に説明したように、規定回数以上の測定値があれば、バランスゆれを計算し、負荷バランス値登録部２０６により各ロードセル１３４の負荷バランス値を記憶部１１２に記憶させて更新する。
【００６１】
測定・補正部２０４が算出した各ロードセル１３４の荷重は、体重算出部２０５で加算され、体重が算出される。体重算出部２０５は、この算出した体重を表示部１１５の画面に表示させる。
【００６２】
以上に説明したように、この実施例の体組成計１００は、複数の荷重測定部（ロードセル１３４）にそれぞれかかる荷重を取得し、この荷重の分散度合いを測定し、次回の体重測定時に該荷重の分散度合いに応じて前記複数の荷重測定部（ロードセル１３４）による測定中心位置を移動させることができる。  
これにより、安定した精度の体重測定を行い利用者の満足度を向上させることができる。
【００６３】
また、測定後に各個人の４つのロードセル１３４にかかる体重値を保存することで、分散度合いを測ってその人のバランス（右足に体重がかかりやすい等）を測定することができる。そして、この測定を継続的に実行してその人のバランスを理解し、次回に計る際に立ち位置の修正（中心に重心が来るように補正）を行うことで、４つのロードセル１３４に平均的に負荷がかかり、安定した精度の高い体重測定を行うことができる。
【００６４】
また、ステップＳ３０７で、理想の中心点である交点３５３と利用者（被測定者）の重心位置である重心マーク３５４とを画面３５０に両方表示するため、利用者は自分の重心を理想の中心点である交点３５３に近づけるよう重心移動することができる。
【００６５】
また、重心マーク３５４はリアルタイムに更新されるため、利用者は、どの程度重心を移動させればよいか確認しながら自分の重心を交点３５３に近づけることができる。従って、短時間で効率よく利用者の重心を体重測定部１３０の中心に合わせることができる。
【００６６】
また、重心マーク３５４の表示がリアルタイムに更新されるため、利用者は、自分の重心位置が激しく移動しているような場合にその状況を視認でき、重心位置が交点３５３に近い位置で安定するように気をつけることができる。これにより、変動が少なくなって体重をより正確に測定することができる。
【００６７】
また、負荷バランス値によって移動平均取得時間を定め、荷重の大きいロードセル１３４については移動平均取得時間を短くして移動平均値の変化を詳細に取得するため、測定精度を向上させることができる。詳述すると、荷重の大きいロードセル１３４は、荷重の小さいロードセル１３４よりも誤差が生じやすい。この誤差の生じやすい状態であるロードセル１３４について、移動平均値の変化を詳細に取得することで測定精度を向上させることができる。
【００６８】
また、各ロードセル１３４の移動平均取得時間を異ならせて並列処理するため、ロードセル１３４毎に独立して移動平均値を複数取得し、この複数の移動平均値の平均から荷重を求めることができる。そして、並列処理により独立して求めた各ロードセル１３４の荷重を全て加算することで体重を算出できる。複数のロードセル１３４の干渉を防止し、精度のよい体重測定を実行することができる。
【００６９】
また、連続的に偏値をとることで、その人の体のバランスや立ち位置の癖を知ることができる。そして、このバランスや立ち位置の癖のデータを元に、体重測定に最適な測定位置を提供することや、自動で体重の補正をかけて体重測定の精度向上を図ることができる。
【００７０】
また、次回から４つのロードセル１３４にかかる重心を理解することで、最も負荷のかかるロードセル１３４の測定精度をソフトウェアの処理によって向上させることができ、これにより体重測定の精度を向上することができる。
【００７１】
この発明の構成と、上述の実施形態との対応において、
この発明の重量測定装置は、実施形態の体組成計１００に対応し、
以下同様に、
表示手段は、表示部１１５に対応し、
重心位置測定手段は、ステップＳ３０６を実行する制御部１１８に対応し、
負荷バランス決定手段は、ステップＳ３２１〜Ｓ３２６を実行する制御部１１８に対応し、
荷重測定部は、ロードセル１３４に対応し、
補正手段、移動平均値取得手段、および荷重算出手段は、測定・補正部２０４に対応し、
測定中心位置は、交点３５３に対応し、
重心位置は、重心マーク３５４に対応し、
負荷バランス値は、負荷バランス値に対応するが、
この発明は、上述の実施形態の構成のみに限定されるものではなく、多くの実施の形態を得ることができる。
【００７２】
例えば、上述した体組成計１００およびサーバ１５０をインターネットにより接続してもよい。この場合、さらに歩数計、電子体温計、あるいは血圧計といった他の生体情報測定装置もインターネットに接続してもよい。これにより、体組成計１００、歩数計、電子体温計、血圧計を適宜連携させることができる。  
また、体組成計１００、歩数計、電子体温計、血圧計は、サーバ１５０から適宜のパラメータ、閾値、アルゴリズムなどをダウンロードして機能を拡張できるように構成してもよい。この場合、ハードウェアはそのままでソフトウェアをバージョンアップすることや、利用者自身に最適化することを容易に実現できる。
【００７３】
また、体組成計１００、歩数計、電子体温計、血圧計の機能拡張は、サーバ１５０を用いず、体組成計１００等に接続した適宜のユーザ端末から実行する構成にしてもよい。この場合、ＣＤ−ＲＯＭなどの記録媒体からパラメータ、閾値、アルゴリズムなどをダウンロードする構成にしてもよい。
【００７４】
また、体組成計１００、歩数計、電子体温計、血圧計は、これらの機器同士を直接無線または有線で通信可能に接続してもよい。この場合も、相互にデータを送受信して個々の精度を向上させることができる。
【産業上の利用可能性】
【００７５】
この発明は、人間の体重を測定する体重計や動物の体重を測定する動物用体重計など、生体の体重を測定する装置に利用する、あるいは物品の重量を測定する装置に利用するなど、重量測定を行う様々な分野で利用することができる。
【符号の説明】
【００７６】
１００…体組成計、１１５…表示部、１１８…制御部、１３４…ロードセル、２０４…測定・補正部、３５３…交点、３５４…重心マーク
【手続補正２】
【補正対象書類名】特許請求の範囲
【補正対象項目名】全文
【補正方法】変更
【補正の内容】
【特許請求の範囲】
【請求項１】
複数の荷重測定部を有する重量測定装置であって、
前記各荷重測定部で測定したそれぞれの荷重の差異に応じて各荷重測定部の負荷バランス値を決定する負荷バランス決定手段と、
該負荷バランス値を用いて前記荷重測定部による荷重の測定方式を補正する補正手段とを備えた
重量測定装置。
【請求項２】
所定の移動平均取得時間内に前記荷重測定部により複数測定された測定値の平均である移動平均値を取得する移動平均値取得手段と、
各荷重測定部について前記移動平均値をさらに複数回取得し、該複数回取得した移動平均値の平均を荷重とする荷重算出手段とを備え、
前記補正手段は、前記移動平均値取得手段の移動平均取得時間を前記負荷バランス値に対応して補正する構成である
請求項１記載の重量測定装置。
【請求項３】
複数の荷重測定部により重量を測定する重量測定方法であって、
前記各荷重測定部で測定したそれぞれの荷重の差異に応じて負荷バランス決定手段により各荷重測定部の負荷バランス値を決定し、
該負荷バランス値を用いて前記荷重測定部による荷重の測定方式を補正手段により補正する
重量測定方法。
【請求項４】
所定の移動平均取得時間内に前記荷重測定部により複数測定された測定値の平均である移動平均値を移動平均値取得手段により取得し、
各荷重測定部について前記移動平均値をさらに複数回取得して荷重算出手段により該複数回取得した移動平均値の平均を荷重として算出し、
前記補正手段により前記移動平均値取得手段の移動平均取得時間を前記負荷バランス値に対応して補正する
請求項３記載の重量測定方法。
【手続補正３】
【補正対象書類名】図面
【補正対象項目名】全図
【補正方法】変更
【補正の内容】
【図１】
2010073686.tif 000010
【図２】
2010073686.tif 000011
【図３】
2010073686.tif 000012
【図４】
2010073686.tif 000013
【図５】
2010073686.tif 000014
【図６】
2010073686.tif 000015
【図７】
2010073686.tif 000016
【国際調査報告】
2010073686.tif 000017
2010073686.tif 000018